(57)【要約】【課題】いたずらの施錠による部屋への閉じ込めを防止するとともに、施錠時の室内からの緊急脱出を可能にした防犯錠を提供すること。【解決手段】開き戸１の戸枠２側に、開き戸１の開き方向に突出する施錠部材保持片３を取付部４を介して取り付け、この施錠部材保持片３に施錠部材５を装着し、施錠部材５を開き戸１に当接させることにより施錠を行う防犯錠において、施錠部材保持片３と取付部４とを室内側で分離可能に構成することにより、施錠部材５が施錠状態のときに、施錠部材保持片３と取付部４とを室内側で分離して解錠できるようにする。【選択図】  図１
2005042327.tif 000002
【特許請求の範囲】
【請求項１】
開き戸の戸枠側に、開き戸の開き方向に突出する施錠部材保持片を取付部を介して取り付け、該施錠部材保持片に施錠部材を装着し、該施錠部材を開き戸に当接させることにより施錠を行う防犯錠において、施錠部材保持片と取付部とを室内側で分離可能に構成することにより、施錠部材が施錠状態のときに、施錠部材保持片と取付部とを室内側で分離して解錠できるようにしたことを特徴とする防犯錠。
【請求項２】
施錠部材に、該施錠部材を開き戸に吸着させるためマグネットを配設したことを特徴とする請求項１記載の防犯錠。
【発明の詳細な説明】
【０００１】
【発明の属する技術分野】
本発明は、例えば、マンション等の開き戸（扉）に後付けの補助錠として使用する防犯錠に関し、特に、いたずらの施錠による部屋への閉じ込めを防止するとともに、施錠時の室内からの緊急脱出を可能にした防犯錠に関するものである。
【０００２】
【従来の技術】
近年、ピッキングによる盗難対策として、マンション等の開き戸に後付けの防犯錠が設置される機会が多くなっている。
この防犯錠としては、開き戸の戸枠側に、開き戸の開き方向に突出する施錠部材保持片を取り付け、この施錠部材保持片に施錠部材を装着し、この施錠部材を開き戸に外側から当接させることにより施錠を行う防犯錠が知られている（例えば、特許文献１参照）。
【０００３】
【特許文献１】
特開平９−１００６６５号公報
【０００４】
【発明が解決しようとする課題】
ところで、上記従来の防犯錠においては、第三者がいたずらで施錠した場合には、部屋の中からは戸を開くことができず、閉じ込められるという問題があり、また、施錠時には室内から緊急脱出できず、例えば、子供だけを室内に残して施錠を行いにくいという問題があった。
【０００５】
本発明は、上記従来の防犯錠が有する問題点に鑑み、いたずらの施錠による部屋への閉じ込めを防止するとともに、施錠時の室内からの緊急脱出を可能にした防犯錠を提供することを目的とする。
【０００６】
【課題を解決するための手段】
上記目的を達成するため、本発明の防犯錠は、開き戸の戸枠側に、開き戸の開き方向に突出する施錠部材保持片を取付部を介して取り付け、該施錠部材保持片に施錠部材を装着し、該施錠部材を開き戸に当接させることにより施錠を行う防犯錠において、施錠部材保持片と取付部とを室内側で分離可能に構成することにより、施錠部材が施錠状態のときに、施錠部材保持片と取付部とを室内側で分離して解錠できるようにしたことを特徴とする。
【０００７】
この防犯錠は、開き戸の戸枠側に、開き戸の開き方向に突出する施錠部材保持片を取付部を介して取り付け、該施錠部材保持片に施錠部材を装着し、該施錠部材を開き戸に当接させることにより施錠を行う防犯錠において、施錠部材保持片と取付部とを室内側で分離可能に構成することにより、施錠部材が施錠状態のときに、施錠部材保持片と取付部とを室内側で分離して解錠でき、これにより、いたずらの施錠による部屋への閉じ込めを防止するとともに、施錠時の室内からの緊急脱出を可能にすることができる。
【０００８】
この場合において、施錠部材に、該施錠部材を開き戸に吸着させるためマグネットを配設することができる。
【０００９】
これにより、離脱した施錠部材を開き戸に吸着させて、施錠部材が落下することを防止することができる。
【００１０】
【発明の実施の形態】
以下、本発明の防犯錠の実施の形態を図面に基づいて説明する。
【００１１】
図１〜図６に、本発明の防犯錠の一実施例を示す。
この防犯錠は、開き戸１の戸枠２の一部に、開き戸の開き方向に突出する施錠部材保持片３を取付部としてのクランプホルダー４を介して取り付けるとともに、この施錠部材保持片３に施錠部材５を装着し、該施錠部材５を開き戸１に外側から当接させることにより施錠を行うように構成されている。
【００１２】
施錠部材保持片３には、施錠用係止部としての透孔３１が形成されている。
【００１３】
クランプホルダー４は、ホルダー本体４１に回動可能に枢支したねじボルト４２に把持片４３を螺合させており、これにより、ねじボルト４２を軸方向に出没させることなく把持片４３のみを移動させ、クランプホルダー４を戸枠２に固定することができるようにしている。
【００１４】
ところで、本実施例の防犯錠は、施錠部材保持片３と取付部としてのクランプホルダー４とを室内側で分離可能に構成することにより、施錠部材５が施錠状態のときに、施錠部材保持片３とクランプホルダー４とを室内側で分離して解錠できるようにしている。
【００１５】
施錠部材保持片３とクランプホルダー４とを室内側で分離可能にする機構として、具体的には、クランプホルダー４にロックプレート４４をばね４５の付勢力に抗して押し下げ操作可能に配設し、ロックプレート４４に形成した係止爪４４ａと、施錠部材保持片３の基端側に形成した係止孔３２とを嵌合させることにより、施錠部材保持片３とクランプホルダー４とを一体化させ、さらに、ロックプレート４４をばね４５の付勢力に抗して押し下げ操作することにより、ロックプレート４４に形成した係止爪４４ａと、施錠部材保持片３の基端側に形成した係止孔３２との嵌合を解除し、施錠部材保持片３とクランプホルダー４とを室内側で分離できるようにしている。
【００１６】
この場合、ロックプレート４４は、図３及び図４に示すように、クランプホルダー４に固定したベース４６上にばね４５を介して設置し、カバー４７で覆うことにより配設するようにする。
そして、この状態で、係止孔３２を形成した施錠部材保持片３の基端側をカバー４７内に挿入することにより、ロックプレート４４に形成した係止爪４４ａと、施錠部材保持片３の基端側に形成した係止孔３２とを嵌合させ、施錠部材保持片３とクランプホルダー４とを一体化させるようにする。
【００１７】
一方、施錠部材５は、図５及び図６に示すように、直方体状の本体５０に、錠機構として、シリンダ錠５１と、シリンダ錠５１と反対側に形成され、施錠部材保持片３が挿入されるスリット状の穴５３とを有し、シリンダ錠５１に鍵５２を差し込んで回すことにより、スリット状の穴５３の奥に出没可能に設けられたラッチボール５４を突出状態で固定するように構成されている。
そして、スリット状の穴５３に挿入された施錠部材保持片３の透孔３１を、このラッチボール５４で係止することにより、これら施錠部材保持片３に施錠できるように構成されている。
このように、施錠部材５に施錠部材保持片３が挿入されるスリット状の穴５３を形成し、スリット状の穴５３の奥に出没可能に設けられたラッチボール５４を突出状態で固定するようにしているので、ラッチボール５４が外部に露出せず、このため、不正開錠がされにくいという利点がある。
【００１８】
また、施錠部材５には、施錠部材５を開き戸１に吸着させるためマグネット５５を配設するようにする。
これにより、施錠部材保持片３とクランプホルダー４とを室内側で分離して解錠したとき、離脱した施錠部材５を施錠部材保持片３と共に開き戸１に吸着させて、施錠部材５が落下することを防止することができる。
なお、開き戸１が木質等の非磁性体製の場合には、施錠部材５が当接する開き戸１の位置に、図６（ｄ）、（ｅ）に示すような磁性体製の板材５６を両面テープ５６ａ等を用いて貼り付けるようにする。
【００１９】
これにより、施錠部材５が施錠状態のときに、施錠部材保持片３と取付部としてのクランプホルダー４を室内側で分離して解錠でき、これにより、いたずらの施錠による部屋への閉じ込めを防止するとともに、施錠時の室内からの緊急脱出を可能にすることができる。
そして、特に、本実施例に示すように、ロックプレート４４、より具体的には、ロックプレート４４に形成した押釦４４ｂをばね４５の付勢力に抗して押し下げ操作して、ロックプレート４４に形成した係止爪４４ａと、施錠部材保持片３の基端側に形成した係止孔３２との嵌合を解除し、施錠部材保持片３とクランプホルダー４とを室内側で分離できるようにすることにより、子供でも解錠を行うことができ、これにより、安全性を一層向上することができる。
【００２０】
以上、本発明の防犯錠について、その実施例に基づいて説明したが、本発明は上記実施例に記載した構成に限定されるものではなく、施錠部材保持片３と取付部としてのクランプホルダー４とを室内側で分離可能にする機構として、例えば、ピンによる連結構造を採用するようにする等、その趣旨を逸脱しない範囲において適宜その構成を変更することができる。
【００２１】
【発明の効果】
本発明の防犯錠によれば、開き戸の戸枠側に、開き戸の開き方向に突出する施錠部材保持片を取付部を介して取り付け、該施錠部材保持片に施錠部材を装着し、該施錠部材を開き戸に当接させることにより施錠を行う防犯錠において、施錠部材保持片と取付部とを室内側で分離可能に構成することにより、施錠部材が施錠状態のときに、施錠部材保持片と取付部とを室内側で分離して解錠でき、これにより、いたずらの施錠による部屋への閉じ込めを防止するとともに、施錠時の室内からの緊急脱出を可能にすることができ、安全性の極めて高い防犯錠とすることができる。
【００２２】
また、施錠部材に、該施錠部材を開き戸に吸着させるためマグネットを配設することにより、離脱した施錠部材を開き戸に吸着させて、施錠部材が落下することを防止することができる。
【図面の簡単な説明】
【図１】本発明の防犯錠の一実施例を示す平面図である。
【図２】同防犯錠を示し、（ａ）は施錠部材保持片と取付部とを一体化した状態を、（ｂ）は施錠部材保持片と取付部とを分離した状態を、それぞれ示す平面図である。
【図３】同防犯錠の組立工程を示す平面図である。
【図４】同防犯錠の組立工程を示す正面図である。
【図５】同防犯錠の施錠部材部材の分解斜視図である。
【図６】同防犯錠の施錠部材部材の説明図である。
【符号の説明】
１    開き戸（扉）
２    戸枠
３    施錠部材保持片
３１  透孔
４    クランプホルダー（取付部）
４１  ホルダー本体
４２  ねじボルト
４３  把持片
４４  ロックプレート
４５  ばね
５    施錠部材
５０  本体
５１  シリンダ錠（錠機構）
５２  鍵
５３  スリット状の穴
５４  ラッチボール
５５  マグネット
５６  磁性体製の板材
【図１】
2005042327.tif 000003
【図２】
2005042327.tif 000004
【図３】
2005042327.tif 000005
【図４】
2005042327.tif 000006
【図５】
2005042327.tif 000007
【図６】
2005042327.tif 000008